(57)【要約】【課題】  外観デザインをユーザーが任意に変更できる外観構成要素を提供するとともに、シート材を挟持するカバー部材へのシート材の貼り付きやインクの転写を軽減する手段と、さらにビスや螺子等によりカバー部材を固定することなく、シート材の固定、位置決めを可能とすることでカバーの着脱が容易な画像記録装置の外観構成要素を提供する。【解決手段】  画像処理装置の外観構成要素において、写真や印刷物等のシート材を載置可能なシート材載置部材と、前記シート材載置部材に着脱可能な透過性の材質で構成されるカバー部材とを有し、前記シート材載置部材と前記カバー部材との間に前記シート材を挟持し保持するシート材保持部において、前記シート材載置部材もしくは前記カバー部材の少なくともどちらか一方の、前記シート材と接する部分もしくは近設する部分の少なくともその一部に、物理的または化学的な加工の少なくとも一方を施す。【選択図】  図４
2007118435.tif 000002
【特許請求の範囲】
【請求項１】
画像処理装置の外観に現れる構成要素であり、シート材を載置可能なシート材載置部材と、前記シート材載置部材に着脱可能な透過性の材質で構成されるカバー部材とを有し、前記シート材載置部材と前記カバー部材との間に前記シート材を挟持し保持するシート材保持部において、
前記シート材載置部材もしくは前記カバー部材の少なくともどちらか一方の、前記シート材と接する部分もしくは近設する部分の少なくともその一部に、物理的または化学的な加工の少なくとも一方を施した
ことを特徴とする画像処理装置の外観構成要素。
【請求項２】
前記物理的な加工とは、表面に細かな凹凸模様を設けた加工である
ことを特徴とする請求項１記載の画像処理装置の外観構成要素。
【請求項３】
前記物理的な加工とは、突起形状を少なくとも１ヶ所に設けた
ことを特徴とする請求項１から２記載の画像処理装置の外観構成要素。
【請求項４】
前記突起形状により、前記シート材保持部に挟持・保持される前記シート材を変形させる
ことを特徴とする請求項１から３記載の画像処理装置の外観構成要素。
【請求項５】
前記物理的な加工は、前記シート材載置部材に載置可能な前記シート材の全ての定型サイズにおいて、少なくとも１ヶ所以上で前記シート材と当接する位置に設ける
ことを特徴とする請求項１から４記載の画像処理装置の外観構成要素。
【請求項６】
前記物理的な加工とは、前記シート材と接する部分もしくは近設する部分が、曲面形状である
ことを特徴とする請求項１から５記載の画像処理装置の外観構成要素。
【請求項７】
前記曲面形状により、前記シート材保持部に挟持・保持される前記シート材を変形させる
ことを特徴とする請求項６記載の画像処理装置の外観構成要素。
【請求項８】
前記化学的な加工とは、撥水処理や撥油処理である
ことを特徴とする請求項１から７記載の画像処理装置の外観構成要素。
【発明の詳細な説明】
【技術分野】
【０００１】
本発明は、プリンタ等の画像処理装置における外観構成要素に関するものである。
【背景技術】
【０００２】
従来の画像処理装置の外観構成要素において、印刷物等のシート材を載置する載置部材と透過性のカバー部材によりシート材を挟持・保持し、保持されたシート材を外観構成要素として扱うよう構成したものがある。例えば開閉カバーの表面側にシート材を載置し、その上から透明板を重ねて挟持し、透明板をビスや螺子等で固定したもの（例えば特許文献１ 参照）や、カバーと透明もしくは半透明のシートとの間にシート材を挟み込むもの（例えば特許文献２ 参照）や、印刷物等のシート材を窪み部と透明もしくは半透明のプレートとの間に挟み込むものもある（例えば特許文献３ 参照）。
【特許文献１】特開２００３−７２１９１ 号（図３）
【特許文献２】特開２００３−２８５４９８ 号（図４）
【特許文献３】特開２００３−２８５５００ 号（図４）
【発明の開示】
【発明が解決しようとする課題】
【０００３】
しかしながら、印刷物等のシート材を挟持し保持する場合に、シート材と接する保持面が単なる平滑であると、シート材と保持面が密着し貼り付いてしまうおそれがあった。特にインクジェット方式のプリンタ用の光沢記録紙のシート材では、被記録面も平滑であるため、保持面が平滑であると非常に密着しやすい。またインクジェット方式のプリンタで印刷した印刷物を挟持し保持する場合に、インクが完全に乾いてから挟持することが基本であるが、ユーザーによってはインクが完全に乾く前に挟持してしまうことがあり、さらに貼り付きやすい状態があるとともに、インクがカバーの密着面全体に転写するといったおそれもあった。
【０００４】
また、開閉するカバーにシート材を挟持し保持する構成を設けるようにした場合に、シート材の保持力が不十分であると、カバーの開閉動作の振動によりシート材がカバーの間で移動してしまうといった問題があった。
【０００５】
そこで本発明は上記課題に鑑みてなされたものであり、外観構成要素である透過性のカバーにより印刷物等のシート材を挟持する構成とし、印刷物等のシート材をユーザーが任意に交換可能とする事で、画像処理装置の外観デザインをユーザーが任意に変更できる外観構成要素を提供するとともに、シート材を挟持するカバー部材へのシート材の貼り付きやインクの転写を軽減する手段と、さらにビスや螺子等によりカバー部材を固定することなく、シート材の固定、位置決めを可能とすることでカバーの着脱が容易な画像記録装置の外観構成要素を提供することである。
【課題を解決するための手段】
【０００６】
上記目的を達成するための、本発明に係る第１の構成は、画像処理装置の外観に現れる構成要素であり、写真や印刷物等のシート材を載置可能なシート材載置部材と、前記シート材載置部材に着脱可能な透過性の材質で構成されるカバー部材とを有し、前記シート材載置部材と前記カバー部材との間に前記シート材を挟持し保持するシート材保持部において、前記シート材載置部材もしくは前記カバー部材の少なくともどちらか一方の前記シート材と接する部分、もしくは近設する部分の少なくともその一部に物理的または化学的な加工の少なくとも一方を施した画像処理装置の外観構成要素である。
【０００７】
また上記目的を達成するための、本発明に係る第２の構成は、前記物理的な加工とは、しぼ加工等の表面に細かな凹凸模様を設けた加工である画像処理装置の外観構成要素。
【０００８】
また上記目的を達成するための、本発明に係る第３の構成は、前記物理的な加工とは、円錐、角錐、円柱、角柱、蛇腹形状等の突起形状を少なくとも１ヶ所に設けた画像処理装置の外観構成要素。
【０００９】
また上記目的を達成するための、本発明に係る第４の構成は、前記突起形状により、前記シート材保持部に挟持・保持される前記シート材を変形させる画像処理装置の外観構成要素。
【００１０】
また上記目的を達成するための、本発明に係る第５の構成は、前記物理的な加工は、前記シート材載置部材に載置可能な前記シート材の全ての定型サイズにおいて、少なくとも１ヶ所以上で前記シート材と当接する位置に設ける画像処理装置の外観構成要素。
【００１１】
また上記目的を達成するための、本発明に係る第６の構成は、前記物理的な加工とは、前記シート材と接する部分もしくは近設する部分が、球面、波状面等の曲面形状である画像処理装置の外観構成要素。
【００１２】
また上記目的を達成するための、本発明に係る第７の構成は、前記曲面形状により、前記シート材保持部に挟持・保持される前記シート材を変形させる画像処理装置の外観構成要素。
【００１３】
また上記目的を達成するための、本発明に係る第８の構成は、前記化学的な加工とは、撥水処理や撥油処理である画像処理装置の外観構成要素。
【発明の効果】
【００１４】
本発明によれば、画像処理装置の外観構成要素において、写真や印刷物等のシート材を載置可能なシート材載置部材と、前記シート材載置部材に着脱可能な透過性の材質で構成されるカバー部材とを有し、前記シート材載置部材と前記カバー部材との間に前記シート材を挟持し保持するシート材保持部において、前記シート材載置部材もしくは前記カバー部材の少なくともどちらか一方の、前記シート材と接する部分もしくは近設する部分の少なくともその一部に、物理的または化学的な加工の少なくとも一方を施すことで、挟持する印刷物等のシート材をユーザーが任意に交換可能とする事で、画像処理装置の外観デザインをユーザーが任意に変更できる外観構成要素を提供するとともに、シート材を挟持するカバー部材へのシート材の貼り付きやインクの転写を軽減する手段と、さらにビスや螺子等によりカバー部材を固定することなく、シート材の固定、位置決めを可能とすることでカバーの着脱が容易な画像記録装置の外観構成要素を提供することが可能である。
【発明を実施するための最良の形態】
【００１５】
以下、本発明の実施の形態について図面を参照して説明する。
【実施例１】
【００１６】
図１は画像処理装置であるプリンタの外観全体を斜め前方向から見た斜視図、図２はプリンタの内部機構を斜め前方向から見た内部斜視図、図３はプリンタの内部機構の主断面図である。
【００１７】
図１において、上ケース１０１はプリンタの上側略半分の外観を構成する筐体部材であり、同様に下ケース１０２は下側略半分の筐体部材である。１０１ａは前記上ケース１０１に設けられた電源スイッチやメンテナンス時用のスイッチ類である。フロントカバー１０３は前記下ケース１０２に揺動可能に軸支され、図１に示す開いた状態では、プリンタから排出される印刷の終了したシート材を積載保持する排紙トレイとして機能する。アクセスカバー１０４は前記上ケース１０１に揺動可能に軸支され、プリンタ本体内部に配される後述のキャリッジ等にアクセスする場合や、内部のメンテナンスを行う場合にユーザーにより開閉される。トップカバー１０５は前記アクセスカバー１０４に着脱可能に固定される透過性の材質のカバー部材である。
【００１８】
プリンタの後方には被記録材であるシート材を積載し、積載されたシート材を一枚ずつ後述の画像処理部に給送する給送部が設けられている。給送部ベース２４には圧板２２が揺動可能に軸支されている。また前記圧板２２にはシート材の積載位置を規制するサイドガイド２６がスライド可能に設けられている。
【００１９】
図２、図３において、前記圧板２２は圧板バネ２５により、前記給送部ベース２４に回転可能に軸支され、外周に所定の摩擦力を得るための給送ローラゴム２３ｂが一体的に接合される給送ローラ２３方向に付勢されている。前記給送部ベース２４には、前記給送ローラ２３と前記圧板２２との当接を解除するためのリリースカム２７及び、前記給送ローラ２３により給送されるシート材を一枚ずつ分離するための分離機構が配されている。
【００２０】
分離機構はリタードローラ方式があり、リタード分離ローラ３４は周囲に所定の摩擦抵抗を有するリタード分離ローラゴム３４ｂを一体的に固定されたローラ部材で、リタード分離ローラ軸３４ａには所定の力（トルク）で前記リタード分離ローラ軸３４ａが空転するようトルクリミッタ３４ｃが設けられている。前記給送ローラ２３と前記リタード分離ローラ３４の間に前記シート材３０が複数枚送り込まれた場合には、前記リタード分離ローラ３４は前記トルクリミッタ３４ｃの抵抗力により搬送方向には回転せず、最上位以外の下位のシート材をリタード分離ローラゴム３４ｂの摩擦力により給送されないようにし、前記給送ローラ２３と前記リタード分離ローラ３４の間に前記シート材３０が１枚だけ送り込まれたときには、連れ回りするかスリップしながらし、シート材３０の給送を妨げない。これにより最上位の前記シート材３０のみが分離され給送されるものである。
【００２１】
搬送部は主搬送部と副搬送部から構成されている。主搬送部には画像処理部に前記シート材３０を送り込むための主搬送ローラ１がフレーム２に回転自在に軸支され、駆動源である主搬送モータ３にギア列４で連結されている。ピンチローラ５はピンチローラガイド６に回転自在に軸支され、前記主搬送ローラ１の軸線方向に数ヶ所配されており、前記主搬送ローラ１のシート材搬送部１ａの外周表面にピンチバネ７により所定の圧で圧接され、前記主搬送ローラ１の回転に対応して従動回転し、前記主搬送ローラ１との間に送り込まれた前記シート材３０を挟持し搬送する。前記主搬送ローラ１の上流側には前記シート材３０の位置及び有無を検知するシート材センサ８が配置され、下流側には前記画像処理部での前記シート材３０の下方向の位置を規制するためのプラテン９が設けられている。
【００２２】
副搬送部には副搬送ローラ１０が前記プラテン９に回転自在に軸支され、バネ等の付勢手段（不図示）により前記主搬送ローラ１と前記副搬送ローラ１０に同時に圧接される伝達ローラ１１により、前記主搬送ローラ１の回転力が伝達され、前記主搬送ローラ１の回転量に対し所定量回転するよう構成されている。また前記副搬送ローラ１０の軸線方向には、バネ等の付勢手段（不図示）により所定の圧力で前記副搬送ローラ１０に圧接され従動回転する拍車１２が複数ヶ所配されており、前記拍車１２は拍車ホルダ１３に回転自在に軸支されると共に、前記副搬送ローラ１０と前記拍車１２との間に送り込まれた前記シート材３０を挟持、搬送し、画像処理の終了した前記シート材３０を装置外へ排出するものである。
【００２３】
画像処理部は前記主搬送部と前記副搬送部との間で前記プラテン９に対向して位置し、前記搬送部により搬送される前記シート材３０に対し画像の記録や読み取り等の処理を行うものである。キャリア１４は画像の記録や読み取り等の処理を行うためのカートリッジ、たとえば印字等の記録を行う記録ヘッド１５とインクタンク１６を有する記録カートリッジ１７を着脱自在に搭載し、走査するものであり、前記フレーム２に固定されるガイド軸１８に摺動自在に支持されている。前記ガイド軸１８の一方の端部付近の前記フレームにはキャリアモータ１９が、他方の端部付近にはベルトブーリ２０が配置され、その間にはタイミングベルト２１が張架されており、前記キャリア１４は前記タイミングベルト２１に連結されている。よって前記キャリアモータ１９が駆動することにより、その駆動力が前記タイミングベルト２１を介して前記キャリア１４に伝達され、前記ガイド軸１８に沿って往復走査し、その間に画像処理を行うものである。
【００２４】
上記構成における画像処理動作を説明する。画像処理の待機状態では、前記給送部において前記リリースカム２７が前記圧板２２を所定の位置まで押し下げており、前記圧板２２と前記給送ローラ２３は離間している。ホストコンピュータ（不図示）等からの画像処理開始命令により給送動作にはいると、給送ローラ軸２３ａに駆動源（不図示）から駆動力が伝達され、ギア（不図示）等により連結された前記給送ローラ２３及び前記リリースカム２７が回転する。前記リリースカム２７の回転に伴い前記圧板２２がカム面２７ａに添って揺動し、前記圧板バネ２５の付勢力により前記給送ローラ２３に圧接する。そして前記給送ローラ２３の回転により、積載された前記シート材３０の最上位のシート材が、前記分離機構により一枚ずつ分離されて送り出され、主搬送部の前記主搬送ローラ１と前記ピンチローラ５との間に送り込まれる。前記給送ローラ軸２３ａ及び前記リリースカム２７はさらに回転し、再び前記給送ローラ２３と前記圧板２２とを離間する位置まで復帰したところで、前記給送ローラ軸２３ａへの駆動力が絶たれ待機状態に戻る。主搬送部に送り込まれた前記シート材３０は、前記主搬送ローラ１と前記ピンチローラ５とからなる主搬送ローラ対（１，５）の間に送り込まれるが、その直前に前記シート材センサ８により検知されることで正確な位置が求められている。前記主搬送ローラ対（１，５）は前記シート材センサ８により検知されたの先端位置を頼りに、前記シート材３０の先端部を前記画像処理部の印字開始位置まで搬送し停止する。停止した前記シート材３０に対して前記キャリア１４が走査しつつ、前記記録カートリッジ１７によりシート上に画像の記録が行われる。前記シート材３０上に搬送方向に所定の範囲記録を行う場合には、前記主搬送ローラ対（１，５）による間欠搬送と前記キャリア１４の往復走査を繰り返すことにより順次画像が形成されていく。前記主搬送ローラ対（１，５）による搬送が進むと、前記シート材３０の先端は前記副搬送ローラ１０と前記拍車１２からなる副搬送ローラ対（１０，１２）との間に送り込まれる。前記副搬送ローラ対（１０，１２）は、その搬送力は前記主搬送ローラ対（１，５）に対し弱く、搬送量は前記主搬送ローラ対（１，５）の搬送量と同じか若干量多く搬送するよう設定されている。従って主副両搬送ローラ対（１，５と１０，１２）に前記シート材３０が同時に挟持され搬送されるときには、前記シート材３０の送り量は前記主搬送ローラ対（１，５）により規定され、シート材後端が前記主搬送ローラ対（１，５）を抜けた後は、前記副搬送ローラ対（１０，１２）により搬送され、最終的には排紙トレイであるフロントカバー１０３上に排出される。
【００２５】
以上のような画像処理装置であるプリンタにおける、本実施例の前記アクセスカバー１０４および前記トップカバー１０５の構成について以下に説明する。
【００２６】
図４は前記アクセスカバー１０４から前記トップカバー１０５が外された状態を示す斜め横方向から見た斜視図、図５は前記アクセスカバー１０４と前記トップカバー１０５が着接した状態を示す斜め横方向から見た斜視図、図６は前記アクセスカバー１０４と前記トップカバー１０５の固定部の構成を説明するための部分断面図、図７は前記アクセスカバー１０４に印刷物等のシート材２００を載置した状態を示す斜め横方向から見た斜視図、図８は前記アクセスカバー１０４にシート材２００を載置し、前記トップカバー１０５を着接した状態を示す断面図、図９は本実施例に係る物理的処理であるしぼ加工を施した、前記トップカバー１０５を示す斜め下方向から見た斜視図である。
【００２７】
図４、図５に示すように、前記アクセスカバー１０４は軸１０４ａが前記上ケース１０１の不図示の穴部にはめ込まれることで、前記上ケース１０１に対し揺動可能に軸支される。前記アクセスカバー１０４の固定部には略三角形状の固定凸部１０４ｂが前記アクセスカバー１０４の両側面に２ヶ所ずつ設けられている。また同様に前記トップカバー１０５の両側面には固定穴部１０５ｂが２ヶ所ずつ設けられており、前記アクセスカバー１０４と前記トップカバー１０５が着接した状態では、図６に示すように、それぞれの固定部で前記固定凸部１０４ｂが前記固定穴部１０５ｂに入り込んだ状態となることで、前記トップカバー１０５を前記アクセスカバー１０４に固定している。前記トップカバー１０５の着脱の際には、前記アクセスカバー１０４の側面もしくは前記トップカバー１０５の側面、あるいはその両方が撓むことにより、前記固定凸部１０４ｂと前記固定穴部１０５ｂの着脱が可能となる。突き当て部１０５ａは前記トップカバー１０５が前記アクセスカバー１０４に着接された時、前記アクセスカバー１０４の所定の位置に当接することで、前記トップカバー１０５の位置を規定するものである。
【００２８】
このような前記アクセスカバー１０４と前記トップカバー１０５の構成にすることにより、図７のように前記アクセスカバー１０４のシート材載置部１０４ｃに、印刷物等の前記シート材２００が載置され、前記トップカバー１０５を着接した場合、図８に示すように前記シート材２００は前記アクセスカバー１０４と前記トップカバー１０５に挟持され、透過性の前記トップカバー１０５を通して前記シート材２００を透かし見ることができ、前記シート材２００を外観構成要素として扱うことができることで、ユーザーが任意に外観デザインを変更できるものである。
【００２９】
しかし、図８のように前記アクセスカバー１０４と前記トップカバー１０５に前記シート材２００が挟持された場合、前記シート材２００の表面および前記シート材２００を挟持するカバー側の面が平滑であると、接触する面同士の間に空気層が無くなり、完全に密着した状態となり、カバー側の面に前記シート材２００が貼り付いてしまう危険があった。
【００３０】
そこで本実施例では、図９に示すように前記トップカバー１０５の前記シート材２００との接触面であるシート材保持面１０５ｃのハッチング部に、しぼ加工等により表面に細かな凹凸模様を設けることで、前記シート材保持面１０５ｃに前記シート材２００が密着した場合においても、表面に細かな凹凸模様があることで空気層がなくなる事が無く、前記シート材保持面１０５ｃに前記シート材２００が貼り付いてしまう危険性を十分軽減できるものである。
【００３１】
ここで、前記トップカバー１０５の前記シート材保持面１０５ｃに、しぼ加工等により表面に細かな凹凸模様を設けると、前記トップカバー１０５が磨りガラス状に曇ってしまい、透過性が損なわれてしまうが、例えば磨りガラスであっても、磨りガラス面に密着もしくは近設しているものは透かし見ることが可能であり、前記トップカバー１０５を樹脂等の成型部材で構成するのであれば、しぼ加工等の細かな凹凸模様の形態は任意に設定可能であり、透過性を極力損なわないように設定することも可能である。
【００３２】
また上述では、前記トップカバー１０５の前記シート材保持面１０５ｃにのみ、しぼ加工等により表面に細かな凹凸模様を設けると説明したが、前記シート材２００の裏面側の貼り付きも考えられるため、前記アクセスカバー１０４の前記シート材載置部１０４ｃにも、同様にしぼ加工等により表面に細かな凹凸模様を設けることも有効である事は当然である。
【００３３】
さらに上述では、前記シート材載置部１０４ｃまたは前記シート材保持面１０５ｃ全体に、しぼ加工等による細かな凹凸模様を設けるよう説明したが、例えば前記シート材２００が載置される位置が限定されており、それによりカバー側の前記シート材２００と接する面の範囲が限定されるような場合には、その接する部分のみにしぼ加工等による細かな凹凸模様を設けても良いことは言うまでも無い。
【実施例２】
【００３４】
画像処理装置であるプリンタの全体構成は、前述の実施例１と同様であるため、詳細な説明は省略し、相違点のみを説明する。
【００３５】
図１０は下面部に円錐、角錐、円柱、角柱形状等の突起形状を設けた前記トップカバー１０５の下面平面図、図１１は下面部に前記突起形状を設けた前記トップカバー１０５が前記アクセスカバー１０４と着接した状態を示す断面図、図１２は別の配列の前記突起形状の構成を示す前記トップカバー１０５の下面平面図、図１３は前記シート材載置部１０４ｃを波形の蛇腹状の突起形状とした前記アクセスカバー１０４を斜め前方向から見た斜視図、図１４は前記シート材載置部１０４ｃを蛇腹状の突起形状とした前記アクセスカバー１０４と前記トップカバー１０５が着接した状態を示す断面図である。
【００３６】
図１０において、シート材保持突起１０５ｄは前記トップカバー１０５の前記シート材保持面１０５ｃに設けられる、小さな円錐、角錐、円柱、角柱形状等の突起形状であり、図１１に示すように前記トップカバー１０５が前記アクセスカバー１０４と着接した状態で、前記シート材保持突起１０５ｄの先端と前記シート材載置部１０４ｃの間隔が、載置される前記シート材２００の想定される厚さと同等以下になるよう設定することで、前記シート材２００と当接するよう構成されている。従って、前記シート材保持突起１０５ｄは載置される前記シート材２００に若干食い込む形となり、前記シート材２００を固定することができる。また前記シート材保持突起１０５ｄにより前記シート材２００の表面が、前記シート材保持面１０５ｃへ面接触することを防止することにより、前記シート材２００の貼り付きを防止することができるものである。またインクジェット方式のプリンタで印刷した印刷物を挟持し保持する場合に、ユーザーによってインクが完全に乾く前の前記シート材２００を挟持されてしまうようなことがあった場合にも、前記シート材保持突起１０５ｄにより前記シート材２００の表面が、前記シート材保持面１０５ｃへ面接触することを防止することにより、インクの転写を極力軽減することが可能である。
【００３７】
前記シート材保持突起１０５ｄの配置については、前記シート材保持面１０５ｃ全体に設けることで、さまざまなサイズの前記シート材２００を挟持し固定することが可能となるが、例えば図１０のように前記シート材保持突起１０５ｄの間隔を想定される前記シート材の最小サイズのシート材２０１の短辺長さより狭い間隔で配置し、前記シート材載置部１０４ｃのどの位置に前記最小サイズのシート材２０１が載置されても、必ず前記シート材保持突起１０５ｄが２ヶ所以上で当接するよう構成することで、前記最小サイズのシート材２０１の移動や回転を防止することができるとともに、前記シート材保持突起１０５ｄの数を極力少なくでき、目立ち難くすることができる。
【００３８】
また図１２に示すように前記シート材保持突起１０５ｄを横方向に１列のみ配置するだけでも、前後方向での前記シート材２００の載置位置の制約は生じるが、前述同等の効果が得られると共に、さらに前記シート材保持突起１０５ｄの数を極力少なくでき、目立ち難くすることができるものである。
【００３９】
前記シート材保持突起１０５ｄの突起形状については、先端形状を平坦や曲面形状にすることにより、載置する前記シート材２００に当接したときに前記シート材２００を極力傷つけないようにする方法や、逆に先端を尖らせ前記シート材２００に若干突き刺すことにより、前記シート材２００を確実に固定するようにする方法も考えられる。
【００４０】
上述では、シート材保持突起を前記シート材保持面１０５ｃにのみ設けるよう説明したが、前記アクセスカバー１０４の前記シート材載置部１０４ｃに同様に設けられることは言うまでも無い。この場合前記シート材保持面１０５ｃ側には、本発明の他の処理を施して良いし、前記シート材載置部１０４ｃと前記シート材保持面１０５ｃの双方に前記シート材保持突起１０５ｄを設ける構成としても構わない。
【００４１】
またシート材保持突起については、図１３に示すように前記シート材載置部１０４ｃを波形の蛇腹状の突形状とした、シート材保持突起１０４ｄとする構成も考えられる。この場合図１４に示すように、前記シート材２００とシート材保持突起１０４ｄが線接触となり、前記シート材２００の貼り付きを軽減できるものである。さらに、図１４では前記シート材保持突起１０４ｄの突形状が全て同一高さ、同一形状で描かれているが、高さに高低差を設けたり、蛇腹形状を不均一にする事で、前記シート材２００と接する部分をさらに減らしたり、前記トップカバー１０５と前記シート材２００を挟持する部分を限定したりする事も可能である。また図１３ではシート材保持突起１０４ｄは横方向に設けられているが、縦方向や斜め方向等任意の形態であってももちろん構わない。
【００４２】
以上のように、前記シート材保持突起１０５ｄ、前記シート材保持突起１０４ｄの配置や形状については、想定する前記シート材２００のサイズや必要な保持力、デザイン性に合わせて、任意に設定可能である。
【実施例３】
【００４３】
画像処理装置であるプリンタの全体構成は、前述の実施例１と同様であるため、詳細な説明は省略し、相違点のみを説明する。
【００４４】
図１５は前記シート材載置部１０４ｃを波状の曲面形状とした前記アクセスカバー１０４を斜め前方向から見た斜視図、図１６は前記シート材載置部１０４ｃおよび前記シート材保持面１０５ｃを波状の曲面形状とした、前記トップカバー１０５が前記アクセスカバー１０４と着接した状態を示す断面図、図１７は前記シート材載置部１０４ｃおよび前記シート材保持面１０５ｃを波状の曲面形状とした、前記トップカバー１０５と前記アクセスカバー１０４が、前記シート材２００を挟持しているところを示す拡大断面図である。
【００４５】
図１５に示すように前記シート材載置部１０４ｃは曲率の大きな波状の曲面形状に構成されている。また図１６に示すように、前記トップカバー１０５が前記アクセスカバー１０４と着接した状態で、前記シート材載置部１０４ｃに対し前記シート材保持面１０５ｃが所定の間隔で対向するよう、対し前記シート材保持面１０５ｃも曲率の大きな波状の曲面形状に構成されている。
【００４６】
このような構成の前記トップカバー１０５および前記アクセスカバー１０４が、シート材を挟持した状態を図１７に示す。挟持されるシート材は想定される前記最小サイズのシート材２０１（短辺側）とする。
【００４７】
前記シート材載置部１０４ｃと前記シート材保持面１０５ｃは曲率の大きな波状の曲面形状で、所定の間隔で対向するよう構成されているが、この曲率の大きな波状の曲面形状および所定の間隔は、前記最小サイズのシート材２０１（短辺側）が平面状態で存在できないように構成することにより、挟持されるシート材は前記シート材載置部１０４ｃと前記シート材保持面１０５ｃに接触し変形させられることになり、シート材の変形に対する復元力により、位置ずれ等が無いように保持されるものである。
【００４８】
また前記シート材載置部１０４ｃと前記シート材保持面１０５ｃが曲面であるため、挟持されるシート材の表面との間に隙間が生じることで、シート材の貼り付きが軽減される。
【００４９】
前記シート材保持面１０５ｃの曲面形状の曲率が大きくすることにより、前記トップカバー１０５を通して挟持されるシート材を透かし見たときの歪みも少ない、前記トップカバー１０５が構成可能である。
【実施例４】
【００５０】
画像処理装置であるプリンタの全体構成は、前述の実施例１と同様であるため、詳細な説明は省略し、相違点のみを説明する。
【００５１】
図９において実施例１では、前記シート材保持面１０５ｃのハッチング部に、しぼ加工等により表面に細かな凹凸模様を設けるよう説明したが、本実施例では前記シート材保持面１０５ｃのハッチング部に、化学的処理である撥水加工を施すことで、前述のようにインクが完全に乾く前のシート材を挟持されてしまうようなことがあった場合にも、インクの転写を極力軽減することが可能であり、転写が発生した場合においても、汚れを除去するメンテナンス性に優れるものである。
【００５２】
撥水加工については、例えばフッ素系撥水剤やシリコーン系撥水剤等を塗布する方法がある。フッ素系撥水剤やシリコーン系撥水剤には透明もしくは半透明の透過性のものがあり、前記シート材保持面１０５ｃに処理した場合にも前記トップカバー１０５の透過性を損ねることは無い。または前記トップカバー１０５自体を撥水性の材料で構成する方法もある。
【００５３】
以上本発明の実施形態において、第１から第４の実施形態を説明したが、それぞれは完全に別の実施形態という訳ではなく、それぞれを組み合わせて構成することが可能であることは言うまでも無い。また本発明の実施形態においては、可動の外観構成部材であるアクセスカバー１０４に適用するよう説明したが、特にこれに限定されることは無論無い。
【図面の簡単な説明】
【００５４】
【図１】本発明の実施例１の画像処理装置の外観全体を斜め前方から見た斜視図。
【図２】本発明の実施例１の画像記録装置の内部機構を斜め前方から見た内部斜視図。
【図３】本発明の第１の実施例である画像記録装置の給送動作を説明するための内部機構の主断面図。
【図４】本発明の実施例１の画像記録装置のアクセスカバー１０４からトップカバー１０５が外された状態を示す斜め横方向から見た斜視図。
【図５】本発明の実施例１の画像記録装置のアクセスカバー１０４とトップカバー１０５が着接した状態を示す斜め横方向から見た斜視図。
【図６】本発明の実施例１の画像記録装置のアクセスカバー１０４とトップカバー１０５の固定部の構成を説明するための部分断面図。
【図７】本発明の実施例１の画像記録装置のアクセスカバー１０４に印刷物等のシート材２００を載置した状態を示す斜め横方向から見た斜視図
【図８】本発明の実施例１の画像記録装置のアクセスカバー１０４にシート材２００を載置し、トップカバー１０５を着接した状態を示す断面図。
【図９】本発明の実施例１および４の画像記録装置のトップカバー１０５の斜め下方向から見た斜視図。
【図１０】本発明の実施例２の画像記録装置の下面部に円錐、角錐、円柱、角柱形状等の突起形状を設けたトップカバー１０５の下面平面図。
【図１１】本発明の実施例２の画像記録装置の下面部に突起形状を設けたトップカバー１０５がアクセスカバー１０４と着接した状態を示す断面図。
【図１２】本発明の第２の実施例である画像記録装置の別の配列の突起形状の構成を示すトップカバー１０５の下面平面図。
【図１３】本発明の実施例２の画像記録装置のシート材載置部１０４ｃを波形の蛇腹状の突起形状としたアクセスカバー１０４を斜め前方向から見た斜視図。
【図１４】本発明の実施例２の画像記録装置のシート材載置部１０４ｃを蛇腹状の突起形状としたアクセスカバー１０４とトップカバー１０５が着接した状態を示す断面図。
【図１５】本発明の実施例３の画像記録装置のシート材載置部１０４ｃを波状の曲面形状としたアクセスカバー１０４を斜め前方向から見た斜視図。
【図１６】本発明の実施例３の画像記録装置のシート材載置部１０４ｃおよびシート材保持面１０５ｃを波状の曲面形状とした、トップカバー１０５がアクセスカバー１０４と着接した状態を示す断面図。
【図１７】本発明の実施例３の画像記録装置のシート材載置部１０４ｃおよびシート材保持面１０５ｃを波状の曲面形状とした、トップカバー１０５とアクセスカバー１０４が、シート材２００を挟持しているところを示す拡大断面図。
【符号の説明】
【００５５】
１  主搬送ローラ
２  フレーム
３  主搬送モータ
４  ギア列
５  ピンチローラ
１０  副搬送ローラ
１２  拍車
１４  キャリア
１５  記録ヘッド
１６  インクタンク
１７  記録カートリッジ
１８  ガイド軸
１９  キャリアモータ
２１  タイミングベルト
２２  圧板
２３  給送ローラ
２４  給送部ベース
２５  圧接バネ
２６  サイドガイ
２７  リリースカム
３０  シート材
３４  リタード分離ローラ
１０１  上ケース
１０２  下ケース
１０３  フロントカバー
１０４  アクセスカバー
１０５  トップカバー
【図１】
2007118435.tif 000003
【図２】
2007118435.tif 000004
【図３】
2007118435.tif 000005
【図４】
2007118435.tif 000006
【図５】
2007118435.tif 000007
【図６】
2007118435.tif 000008
【図７】
2007118435.tif 000009
【図８】
2007118435.tif 000010
【図９】
2007118435.tif 000011
【図１０】
2007118435.tif 000012
【図１１】
2007118435.tif 000013
【図１２】
2007118435.tif 000014
【図１３】
2007118435.tif 000015
【図１４】
2007118435.tif 000016
【図１５】
2007118435.tif 000017
【図１６】
2007118435.tif 000018
【図１７】
2007118435.tif 000019